(57)【要約】【課題】防火シャッターが設けられた通路の床面に障害物が置かれていても、通路を確実に閉鎖することができる防火シャッター、および防火シャッターの障害物除去装置を提供する。【解決手段】シャッター体１２の閉鎖位置に置かれた障害物Ｄを閉鎖位置から除去する障害物除去装置２を備え、障害物除去装置２が作動した後に、シャッター体１２が通路Ａを閉鎖することにより、シャッター体１２と床面Ｆの間に障害物が挟みこまれる事態を避けることができる。【選択図】　　　　　図１
2004019198.tif 000002
【特許請求の範囲】
【請求項１】
火災発生時にシャッター体が通路の天井側から垂下して前記シャッター体の下端部が前記通路の床面に当接することにより前記通路を閉鎖する防火シャッターであって、前記シャッター体の閉鎖位置に置かれた障害物を前記閉鎖位置から除去する障害物除去装置を備え、前記障害物除去装置が作動した後に、前記シャッター体が前記通路を閉鎖することを特徴とする防火シャッター。
【請求項２】
前記障害物除去装置は、前記床面から突出して前記障害物を前記閉鎖位置から押し退ける障害物除去体を有してなることを特徴とする請求項１に記載の防火シャッター。
【請求項３】
前記障害物除去体は、平板状に形成されるとともに前記床面に水平状態で設置されており、前記水平状態から起立して前記障害物を押し退けることを特徴とする請求項２に記載の防火シャッター。
【請求項４】
前記障害物除去体は、２枚の板状体が屈曲自在な連結部を介して一体的に形成されたものであり、前記連結部が上方に引き上げられることにより起立することを特徴とする請求項３に記載の防火シャッター。
【請求項５】
前記障害物除去体は、起立した後、前記シャッター体による前記通路の閉鎖に先行して、前記水平状態に戻ることを特徴とする請求項４に記載の防火シャッター。
【請求項６】
火災発生時にシャッター体が通路の天井側から垂下して前記シャッター体の下端部が前記通路の床面に当接することにより前記通路を閉鎖するシャッター装置の閉鎖位置に設置される防火シャッターの障害物除去装置であって、前記床面から突出して前記シャッター体の閉鎖位置に置かれた障害物を前記閉鎖位置から押し退けることにより除去する障害物除去体を有してなることを特徴とする防火シャッターの障害物除去装置。
【請求項７】
前記障害物除去体は、平板状に形成されるとともに前記床面に水平状態で設置されており、前記水平状態から起立して前記障害物を押し退けることを特徴とする請求項６に記載の防火シャッターの障害物除去装置。
【請求項８】
前記障害物除去体は、２枚の板状体が屈曲自在な連結部を介して一体的に形成されたものであり、前記連結部が上方に引き上げられることにより起立することを特徴とする請求項７に記載の防火シャッターの障害物除去装置。
【発明の詳細な説明】
【０００１】
【発明の属する技術分野】
本発明は、火災発生時に建築物内部の通路を閉鎖することにより火災空間と非火災空間を区画する防火シャッター、および防火シャッターの閉鎖位置に設置される防火シャッターの障害物除去装置に関する。
【０００２】
【従来の技術】
所定の建築物について、火災発生を検知して内部通路を自動的に閉鎖し火災空間と非火災空間を区画する防火シャッターの設置が法律で義務付けられている。
【０００３】
【発明が解決しようとする課題】
しかしながら、従来の防火シャッターを、シャッター体の閉鎖位置に障害物が置かれている状態で作動させると、シャッター体と床との間に障害物を挟みこんで完全に閉鎖することができず、防火効果が得られないことがある。また、閉まり切らなかった防火シャッターの隙間から煙が噴出するおそれもある。
【０００４】
本発明は斯かる実情に鑑み、シャッター体の閉鎖位置に障害物が置かれていても、シャッター体が通路を確実に閉鎖することのできる防火シャッターおよび防火シャッターの障害物除去装置を提供するものである。
【０００５】
【課題を解決するための手段】
請求項１の発明は、火災発生時にシャッター体が通路の天井側から垂下して前記シャッター体の下端部が前記通路の床面に当接することにより前記通路を閉鎖する防火シャッターであって、前記シャッター体の閉鎖位置に置かれた障害物を前記閉鎖位置から除去する障害物除去装置を備え、前記障害物除去装置が作動した後に、前記シャッター体が前記通路を閉鎖することを特徴とする防火シャッターを提供する。
【０００６】
請求項１の発明に係る防火シャッターによれば、前記シャッター体の閉鎖位置に置かれた障害物を除去する前記障害物除去装置が作動した後に前記シャッター体が前記通路を閉鎖するので、前記シャッター体と前記通路の床面の間に前記障害物が挟み込まれる事態を避けることができるという作用効果を奏する。
【０００７】
請求項２の発明は、請求項１に記載の防火シャッターであって、前記障害物除去装置は、前記床面から突出して前記障害物を前記閉鎖位置から押し退ける障害物除去体を有してなることを特徴とする防火シャッターを提供する。
【０００８】
請求項２の発明に係る防火シャッターによれば、請求項１の発明に係る防火シャッターによる作用効果に加えて、以下の作用効果を奏する。前記障害物除去装置は、前記障害物除去体を前記床面から突出させて前記障害物を押し退けるだけであるから、比較的簡単に構成することができる。
【０００９】
請求項３の発明は、請求項２に記載の防火シャッターであって、前記障害物除去体は、平板状に形成されるとともに前記床面に水平状態で設置されており、前記水平状態から起立して前記障害物を押し退けることを特徴とする防火シャッターを提供する。
【００１０】
請求項３の発明に係る防火シャッターによれば、請求項２の発明に係る防火シャッターによる作用効果に加えて、以下の作用効果を奏する。前記障害物除去体は平板状に形成され、前記床面に水平状態で設置されているため、設置スペースの確保および設置工事が容易である。また、前記障害物は前記障害物除去体により形成される傾斜面をすべり落ちて、前記閉鎖位置から遠くへ除去されるので、前記シャッター体と前記床面の間に前記障害物が挟み込まれる事態を確実に避けることができる。
【００１１】
請求項４の発明は、請求項３に記載の防火シャッターであって、前記障害物除去体は、２枚の板状体が屈曲自在な連結部を介して一体的に形成されたものであり、前記連結部が上方に引き上げられることにより起立することを特徴とする防火シャッターを提供する。
【００１２】
請求項４の発明に係る防火シャッターによれば、請求項３の発明に係る防火シャッターによる作用効果に加えて、以下の作用効果を奏する。前記２枚の板状体は起立時に前記の屈曲自在な連結部を頂点とする切妻屋根形状を形成するため、前記障害物は２つの傾斜面のいずれかをすべり落ちて、より確実に除去されるものである。
【００１３】
請求項５の発明は、請求項４に記載の防火シャッターであって、前記障害物除去体は、起立した後、前記シャッター体による前記通路の閉鎖に先行して、前記水平状態に戻ることを特徴とする防火シャッターを提供する。
【００１４】
請求項５の発明に係る防火シャッターによれば、請求項４の発明に係る防火シャッターによる作用効果に加えて、以下の作用効果を奏する。前記障害物除去体が起立する前の水平状態に戻るときに、前記障害物除去体の端部ですべり落ちた前記障害物を押し退けて、前記シャッター体の前記閉鎖位置からより遠くへ除去するものである。したがって、前記シャッター体の閉鎖位置の近傍から前記障害物が除去されて、前記シャッター体の近傍に設置された避難用開口の開閉を妨げることが防止される。
【００１５】
請求項６の発明は、火災発生時にシャッター体が通路の天井側から垂下して前記シャッター体の下端部が前記通路の床面に当接することにより前記通路を閉鎖するシャッター装置の閉鎖位置に設置される防火シャッターの障害物除去装置であって、前記床面側から突出して前記シャッター体の閉鎖位置に置かれた障害物を前記閉鎖位置から押し退けることにより除去する障害物除去体を有してなることを特徴とする防火シャッターの障害物除去装置を提供する。
【００１６】
請求項６の発明に係る防火シャッターの障害物除去装置によれば、前記障害物除去体を前記床面側から突出させるだけの比較的簡単な構成で、前記シャッター体と前記通路の床面の間に前記障害物が挟み込まれる事態を避けることができるという作用効果を奏する。
【００１７】
請求項７の発明は、請求項６に記載の防火シャッターの障害物除去装置であって、前記障害物除去体は、平板状に形成されるとともに前記床面に水平状態で設置されており、前記水平状態から起立して前記障害物を押し退けることを特徴とする防火シャッターの障害物除去装置を提供する。
【００１８】
請求項７の発明に係る防火シャッターの障害物除去装置によれば、請求項６の発明に係る防火シャッターの障害物除去装置による作用効果に加えて、以下の作用効果を奏する。前記障害物除去体は平板状に形成され、前記床面に水平状態で設置されているため、設置スペースの確保および設置工事が容易である。また、前記障害物は前記障害物除去体により形成される傾斜面をすべり落ちて、前記閉鎖位置から遠くへ除去されるので、前記シャッター体と前記床面の間に前記障害物が挟み込まれる事態を確実に避けることができる。
【００１９】
請求項８の発明は、請求項７に記載の防火シャッターの障害物除去装置であって、前記障害物除去体は、２枚の板状体が屈曲自在な連結部を介して一体的に形成されたものであり、前記連結部が上方に引き上げられることにより起立することを特徴とする防火シャッターの障害物除去装置を提供する。
【００２０】
請求項８の発明に係る防火シャッターの障害物除去装置によれば、請求項７の発明に係る防火シャッターの障害物除去装置による作用効果に加えて、以下の作用効果を奏する。前記２枚の板状体は起立時に前記の屈曲自在な連結部を頂点とする切妻屋根形状を形成するため、前記障害物は２つの傾斜面のいずれかをすべり落ちて、より確実に除去されるものである。
【００２１】
【発明の実施の形態】
以下、本発明の実施の形態について添付図面を参照しながら説明する。図１は、本実施形態に係る防火シャッターの全体構成を示す斜視図であって、火災発生時に（ａ）〜（ｄ）の順で作動して建築物内部の通路を閉鎖する様子を示す図である。図２は、本実施形態に係る防火シャッターに備えられた障害物除去装置の作動を説明する図である。
【００２２】
本発明に係る防火シャッターは、シャッター装置１と障害物除去装置２の組み合わせにより構成される。シャッター装置１は通路Ａの天井Ｒの上方に設置されており、主として、電動モーター（不図示）で回転駆動される巻取りローラー１１、巻取りローラー１１に巻かれたロールスクリーン状のシャッター体１２、およびシャッター体１２の下端部１３に取り付けられた棒状の重り１３ａで構成される。シャッター体１２は、火災発生時に、巻取りローラー１１から繰り出され、天井Ｒ側から垂下して下端部１３が床面Ｆに当接することにより通路Ａを閉鎖する。通路Ａの両側壁には垂下するシャッター体１２を案内するシャッターレールが設けられている。火災空間の内圧が上昇したときには、シャッター体１２の両側部がシャッターレールに密着して、煙の外部流出を防ぐようになっている。
【００２３】
障害物除去装置２は、シャッター体１２の床面Ｆ側の閉鎖位置、すなわちシャッター体１２の下端部１３が当接する位置に置かれた障害物を除去する。障害物除去装置２は、平板状に形成され床面Ｆ側の閉鎖位置に水平状態で設置される障害物除去体２１、障害物除去体２１を引き上げて天井Ｒ側に突出させるローラーチェーン２２、ローラーチェーン２２を回転させるスプロケット２３、およびスプロケット２３を駆動する原動機としての電動モーター２４で構成される。
【００２４】
障害物除去体２１は、２枚の四角形の板状体２１１，２１１が屈曲自在な連結部２１２を介して一体的に形成された平板状のものであり、床面Ｆに凹設された凹部Ｆ１に展開された状態で格納されて、床面Ｆの一部をなしている。凹部Ｆ１の深さは障害物除去体２１の厚みと同一に設定されており、床面Ｆには段差が生じないように配慮されている。障害物除去体２１は、床面Ｆから起立して天井側に向かって突出することにより障害物除去体２１の上面側に置かれた障害物、すなわちシャッター体１２の閉鎖位置に置かれた障害物を押し退けるものである。板状体２１１，２１１は重量物を上面に載せられても、あるいは重量の大きい障害物を押し退けても容易に変形しないように十分な強度が与えられている。障害物除去体２１は、板状体２１１，２１１の連結部２１２が、シャッター体１２の閉鎖位置とほぼ一致する位置でシャッター体１２の幅方向と平行に延びるように配置されている。なお、障害物除去体２１の両端部、すなわち板状体２１１，２１１の連結部２１２と反対側の端部２１１ａ，２１１ａには、スライドローラー２１３が取り付けられている。
【００２５】
ローラーチェーン２２は、天井Ｒの上方に回転自在に設置されたスプロケット２３と、床面Ｆの下方に回転自在に設置されたスプロケット２５に巻きつけられており、電動モーター２４の駆動力により回転する。ローラーチェーン２２のリンクの一部に対して障害物除去体２１の連結部２１２が固着されており、そのためローラーチェーン２２の回転（矢印Ｘの向き）に伴い連結部２１２を上方に引き上げ可能となっている。連結部２１２の引き上げに伴い、障害物除去体２１の２枚の板状体２１２，２１２は、図２の一点鎖線で示されるように起立させられて（矢印Ｙ）切妻屋根形状を形成する。一旦引き上げられた連結部２１２は、ローラーチェーン２２を逆回転させることにより元の水平状態に戻り、それによって、障害物除去体２１は凹部Ｆ１に格納される。
【００２６】
障害物除去装置２は、火災検査装置Ｓから送信される火災検知信号に基づき、電動モーター２４が作動して、板状体２１２，２１２を起立させるように構成されている。障害物除去装置２のローラーチェーン２２の軌道上にはリミットスイッチＬが設けられており、リミットスイッチＬに起立した障害物除去体２１が接触することにより、シャッター装置１が、シャッター体１２を床面側に垂下させて通路Ａを閉鎖するように設定されている。したがって、障害物除去装置２が作動した後、すなわち障害物除去体２１が床面Ｆから起立して障害物を押し退けた後に、シャッター体１２が通路Ａを閉鎖する。なお、障害物除去装置２は障害物除去体２１を起立させた後、電動モーター２４を逆回転させ、シャッター体１２による通路Ａの閉鎖に先行して、起立する前の水平状態に戻るように設定されている。
【００２７】
次に上記の防火シャッターの作動について説明する。火災が発生すると、まず火災検知信号に基づいて電動モーター２４がローラーチェーン２２を矢印Ｘの向きに回転させる。ローラーチェーン２２の回転により障害物除去体２１の連結部２１２が天井Ｒ側に引き上げられることにより、２枚の板状体２１１，２１１が起立し、図２において一点鎖線で示されるように連結部２１２を頂点とする切妻屋根形状を形成する。
【００２８】
したがって、図１（ａ）に示されるようにシャッター体１２の閉鎖位置に、障害物Ｄが置かれていた場合でも、起立した障害物除去体２１の板状体２１１，２１１によって障害物は押し退けられ、切妻屋根形状の２つの傾斜面のいずれかをすべり落ちて（図１（ｂ））、障害物は閉鎖位置から確実に除去されるものである。
【００２９】
障害物除去体２１は起立した後、ローラーチェーン２２が逆回転して、元の水平状態に戻るが、その折に板状体２１１の端部２１１ａで障害物Ｄをさらに押し退けて、シャッター体１２の閉鎖位置からより遠くへ除去する（図１（ｃ））。スライドローラー２１３が取り付けられているため、障害物Ｄの重みが加わっても、障害物除去体２１は滑らかに元の状態に戻ることができる。その後、シャッター体１２の下端部１３が床面Ｆに当接し通路Ａを閉鎖する（図１（ｄ））。
【００３０】
本実施形態では、シャッター体１２はロールスクリーン状のものを使用したが、これに限らず、鋼製ブレードをつないで形成されるタイプのシャッター体であっても良い。
【００３１】
本実施形態では、障害物除去体２１と床面Ｆの間に段差を生じないようにするため、床面Ｆに障害物除去体２１を格納する凹部Ｆ１を形成したが、凹部Ｆ１を設けることなく、段差を滑らかにつなぐスロープを設けて床面Ｆの一部としてもよい。
【００３２】
本実施形態では、障害物除去体２１として、２枚の板状体を屈曲自在に連結したものを使用したが、１枚物の板を使用してその一端を引き上げることにより起立させ、上面側に置かれた障害物を押し退けるようにしたものであっても良い。
【００３３】
本実施形態では、連結部２１２をローラーチェーン２２のリンクに固着したが、板状体２１１における連結部２１２の近傍をローラーチェーン２２のリンク固着する等して、間接的に連結部２１２を上方に引き上げるようにしても良い。２枚の板状体２１１，２１１が切妻屋根形状を形成するように起立させることができれば、必ずしも連結部２１２を直接引き上げなくてもよい。
【００３４】
本実施形態では、障害物除去体２１を作動させるために、ローラーチェーン２２を使用したが、ワイヤーやベルトを使用しても良い。また、電動モーター等による巻き上げに限らず、例えば、油圧シリンダーを床面Ｆに埋設して、ピストンロッドで連結部を下から押すことにより、上方に引き上げるようにしても良い。
【００３５】
その他、本発明の防火シャッター、および防火シャッターの障害物除去装置は、上記した実施の形態に限定されるものではなく、本発明の要旨を逸脱しない範囲内において種々変更を加えうることは勿論である。
【００３６】
【発明の効果】
以上、説明したように本発明に係る防火シャッター、あるいは防火シャッターの障害物除去装置によれば、防火シャッターが設けられた通路の床面に障害物が置かれていても、障害物が防火シャッターの閉鎖位置から除去され、通路が確実に閉鎖されるという効果を奏し得るものである。
【図面の簡単な説明】
【図１】上記実施形態に係る防火シャッターの全体構成を示す斜視図である。
【図２】上記実施形態に係る防火シャッターに備えられた障害物除去装置の作動を説明する図である。
【符号の説明】
１　　シャッター装置
２　　障害物除去装置
１１　　ローラー
１２　　シャッター体
１３　　下端部
２１　　障害物除去体
２１１　　板状体
２１２　　連結部
Ａ　　通路
Ｄ　　障害物
Ｆ　　床面
Ｒ　　天井
【図１】
2004019198.tif 000003
【図２】
2004019198.tif 000004